(57)【特許請求の範囲】
【請求項１】
建築物の躯体に対して釘またはネジにより固定する長尺の桟であって、
発泡合成樹脂からなる長尺の桟材に、少なくとも、その中央部において固定対象物に接することにより上記釘またはネジ打ちに供される固定用突部と、幅方向の両側において固定対象物に対向する側縁部とを備え、
上記桟材内に、固定用突部の基部及び両側の側縁部の基部の範囲にわたって延び、かつ、少なくとも両側端を上記側縁部側に屈曲した帯板からなる金属補強材を、該桟材の長さ方向に沿って内装した、
ことを特徴とする発泡合成樹脂製建築用桟。
【請求項２】
金属補強材の幅方向両側端において側縁部側に屈曲した屈曲部の先端を、桟材における側縁部に突入する位置まで延ばした、
ことを特徴とする請求項１に記載の発泡合成樹脂製建築用桟。
【請求項３】
金属補強材に多数の孔または切欠きを列設し、それらの孔または切欠きを通して金属補強材の表裏面側の発泡合成樹脂からなる桟材を接合一体化した、
ことを特徴とする請求項１または２に記載の発泡合成樹脂製建築用桟。
【請求項４】
金属補強材と発泡合成樹脂からなる桟材を接着剤により接合した、
ことを特徴とする請求項１または２に記載の発泡合成樹脂製建築用桟。
【請求項５】
桟材における固定用突部と側縁部との固定対象物に接する面に、該桟材を横切って水または空気を流すための切欠きを設けた、
ことを特徴とする請求項１〜４のいずれかに記載の発泡合成樹脂製建築用桟。
【発明の詳細な説明】
【０００１】
【発明の属する技術分野】
本発明は、建築物において躯体に釘またはネジにより固定して内外装材の固定のために使用する胴縁、あるいは、同様にして瓦の支持のために用いる瓦桟等の建築用桟に関するものであり、特に、発泡合成樹脂製で形成しながらも必要な強度を付与し、しかも不朽性を持たせた建築用桟に関するものである。
【０００２】
【従来の技術】
胴縁や瓦桟等の建築用桟としては、従来から断面が矩形状をなす木製のものが一般的であるが、それらの天然資材を用いる場合には、長期にわたって安定的に供給される可能性に問題があるばかりでなく、資材や加工コスト等の高騰に伴って利用が困難になる可能性があり、また使用環境によっては腐朽することもあるため、合成樹脂等による工業的製品で安定的に供給できる安価なものが望まれている。
【０００３】
【発明が解決しようとする課題】
上記胴縁や瓦桟等の建築用桟は、建築物の躯体に対して釘またはネジにより固定するため、それによってひび割れしないような材料であることが必要であるばかりでなく、本来の内外装材や瓦の支持に必要な強度をも有し、しかも従来から用いられている木材と同様にある程度変形することも望まれる。
本発明が解決しようとする課題は、このような要求を満たす建築用桟を提供することにある。
本発明の他の課題は、天然資材に比して安定的に安価に供給でき、しかも不朽性のある合成樹脂を利用し、それによって成形される桟材に上述した胴縁や瓦桟に必要な特性を持たせるようにした建築用桟を提供することにある。
【０００４】
【課題を解決するための手段】
上記課題を解決するための本発明の建築用桟は、建築物の躯体に対して釘またはネジにより固定する長尺の桟であって、発泡合成樹脂からなる長尺の桟材に、少なくとも、その中央部において固定対象物に接することにより上記釘またはネジ打ちに供される固定用突部と、幅方向の両側において固定対象物に対向する側縁部とを備え、上記桟材内に、固定用突部の基部及び両側の側縁部の基部の範囲にわたって延び、かつ、少なくとも両側端を上記側縁部側に屈曲した帯板からなる金属補強材を、該桟材の長さ方向に沿って内装したことを特徴とするものである。
【０００５】
上記建築用桟は、金属補強材の幅方向両側端において側縁部側に屈曲した屈曲部の先端を、桟材における側縁部に突入する位置まで延ばすのが、側縁部の強度を高めるために有効である。
また、上記建築用桟においては、金属補強材に多数の孔または切欠きを列設し、それらの孔または切欠きを通して金属補強材の表裏面側の発泡合成樹脂からなる桟材を接合一体化し、あるいは、金属補強材と発泡合成樹脂からなる桟材を接着剤により接合するのがより適切である。
更に、本発明の好ましい実施形態においては、桟材における固定用突部と側縁部との固定対象物に接する面に、該桟材を横切って水または空気を流すための切欠きを設けられる。
【０００６】
上記構成を有する建築用桟は、胴縁や瓦桟として建築物の躯体に対し固定用突部を通して釘またはネジにより固定して使用するものであるが、発泡合成樹脂により形成したので、木材と同様に部分的には変形し、当たりが軟らかであり、しかも、長尺の桟材を発泡合成樹脂の押出し材として成形できるので、安価に提供できる。
また、中央部の固定用突部を固定対象物に当て、内部にインサートした金属補強材を通して釘またはネジ打ちするので、桟材が固定対象物に強固に固定され、これに内外装材や瓦等を支持させても十分な強度を発揮することができる。
【０００７】
さらに、上記固定用突部の両側に設けた固定対象物に対向する側縁部は、施工時にそれが固定対象物に当接しなくても、桟材内における固定用突部の基部及び両側縁部の基部の範囲にわたって金属補強材を内装し、かつ、その両側端に屈曲部を形成しているので、側縁部に十分な強度を発揮させることができ、また、施工時に側縁部が固定対象物に強く圧接しても、上記金属補強材によりその圧接力に十分に対抗させることができると共に、上記屈曲部により固定対象物に圧接する桟材の側縁部の強度が保持される。
【０００８】
上記金属補強材の両側端の屈曲部は、その先端を桟材における側縁部に突入する位置まで延ばしておくと、側縁部の強度をより高めるために有効であるが、固定用突部及び側縁部の突出量があまり大きくない場合には、該屈曲部を側端部内に突入させておかなくてもよい。
また、上記金属補強材に多数の孔または切欠きを列設し、これらの孔や切欠きを通して金属補強材の表裏面側の発泡合成樹脂からなる桟材を接合一体化し、あるいは、金属補強材と発泡合成樹脂からなる桟材を接着剤により接合すると、施工中や施工後に金属補強材と発泡合成樹脂との間で剥離することがなく、長期にわたって安定的に桟としての機能を発揮させることができる。
【０００９】
さらに、桟材における固定用突部と側縁部との固定対象物に接する面に、該桟材を横切って水または空気を流すための切欠きを設けておくと、胴縁として使用する場合には壁内の通気用の流路とすることができ、瓦桟として使用する場合には、瓦の継ぎ目等から内部に侵入した水の流下路とすることができる。
【００１０】
【発明の実施の形態】
図１は本発明の建築用桟の第１実施例を示すもので、この実施例の建築用桟は、主に建築構造物における外壁材や内壁材等の設置に供する胴縁や、屋根における瓦桟として好適に用いられるもので、発泡合成樹脂からなる長尺の桟材１に、その中央部において固定対象物１０に接することにより釘１１またはネジを打つのに供される固定用突部２と、幅方向の両側において固定対象物１０に対向する方向に突出した側縁部３，３とを備えている。
【００１１】
上記固定用突部２は、基部から先端部方向に行くにしたがって次第に幅狭になるように形成され、図１に示すものの場合、固定対象物１０に固定した際に、該固定対象物１０に対して上記側縁部３，３と均等な圧着力により安定的に固定することができるように、側縁部３，３と同程度の突出長さを備えたものとなっている。
【００１２】
この実施例では、上記固定用突部２を側縁部３，３と同程度に突出させているが、側縁部３，３よりも若干低くすることにより、発泡合成樹脂である桟材１の弾性と、後述する金属補強板４の弾性とによって側縁部３，３を固定対象物１０により強力に圧着させ、桟全体を強固に固定をすることができる。
逆に固定用突部２を側縁部３，３よりも若干高くすることによって、固定突出部２を、側縁部３，３が固定対象物１０に当接するまで該固定対象物１０に強力に圧着させることにより、結果として桟全体を強固に固定することが可能であり、また、仮に側端部３，３が固定対象物１０に当接していなくても、金属補強板４により桟材１の強度が保たれることとなる。
【００１３】
上記桟材１内には、該桟材１の長さ方向に沿って、薄い帯板からなる金属補強板４が内装されている。
上記金属補強板４は、主に桟材１及びその側縁部３の補強に供するものであり、その幅方向が上記固定用突部２の基部及び両側の側縁部３，３の基部の範囲にわたって延び、かつ、両側端に、上記側縁部３，３側に屈曲した屈曲部４ａ，４ａを備えたものである。
この金属補強板４は、釘またはネジ打ちに際して、容易に打ち抜ける程度の厚さに形成されたものであるが、幅方向の両端側の上記屈曲部４ａ，４ａにより補強金属板４の全体としての剛性が高められたものとなっている。
【００１４】
上記金属補強板４の屈曲部４ａ，４ａは、桟材１の側縁部３，３内まで突入した位置まで延びている。これにより、側縁部３，３自体が補強され、施工時に固定対象物１０に強く圧接されても、側縁部３，３にその圧接力に十分対抗する強度が付与されるだけでなく、桟全体の剛性をも向上させている。
【００１５】
上記金属補強板４には、図３の（Ａ），（Ｂ）に示すように、多数の孔７または切欠き８が列設されていて、それらの孔７または切欠き８を通して該金属補強板４の表裏面側の桟材１と接合されている。
したがって、この実施例の桟において、発泡合成樹脂である桟材１は、上記孔７または切欠き８を通して、補強金属板４を位置不動に挟み込んだ状態で表面側の樹脂と裏面側の樹脂とが接合されることによって形成され、これにより、金属補強板４と桟材１とが強固に接合されて、これらの間で相互に剥離することが防止されるので、長期にわたって安定的に桟としての機能を発揮させることができる。
なお、上記孔７及び切欠き８の形状は図３に示されているもの以外の各種形状を用いることができる。
【００１６】
この実施例の桟の形成は、桟材１の発泡合成樹脂で金属補強板４の表裏面を被覆しながらの押出成形により行うことができ、この場合、表面側の樹脂と裏面側の樹脂とが接合一体化され、強固な接合を図ることができだけでなく、均一な寸法のものを安価に製造することができる。
上記補強金属板４については、上述のように、釘１１やネジ打ちによって容易に打ち抜ける程度の厚さとしているため、屈曲部４ａ，４ａの形成のための該補強金属板４の両側端の屈曲は、特に大掛かりな設備を要することなく、比較的容易に行うことができ、押出成形の妨げにはならない。
【００１７】
上記固定用突部２と側縁部３，３との固定対象物１０に接する面には、図２に示すように、桟材１を横切る切欠き５を適宜間隔で多数設けることができる。
上記切欠き５は、桟材１を固定対象物１０に固定した際に、該固定対象物１０と外装材等との間の空間において空気または水を流通させ、その空間内の通気性や通水性を確保するためものである。したがって、この切欠き５は、側縁部３，３においては、補強金属板４の水や湿気等による劣化を防止するために補強金属板４の屈曲部４ａ，４ａが露出しないように設ける必要がある。
なお、この実施例の切欠き５は、固定用突部２と側縁部３，３とを同一直線上において略半円状に切り欠いたものとしているが、この切欠き５は必ずしも同一直線上に設ける必要はなく、また、形状も任意の形状に切り欠いたものとすることができる。
【００１８】
上記構成を有する建築用桟は、建築物の躯体等に対し固定用突部２を通して釘１１またはネジにより固定して使用するが、発泡合成樹脂により形成したので、木材と同様に部分的には変形し、当たりが軟らかであり、しかも、長尺の桟材を発泡合成樹脂の押出し材として成形できるので、安価に提供できる。
また、固定用突部２を固定対象物１０に当て、内部にインサートした金属補強材を通して釘またはネジ打ちするので、桟材１は固定対象物１０に強固に固定され、これに内外装材や瓦等を支持させても十分な強度を発揮することができる。
【００１９】
さらに、桟材１内における固定用突部２の基部及び両側縁部３，３の基部の範囲にわたって金属補強材４を内装し、かつ、その両側端に屈曲部４ａ，４ａを形成しているので、側縁部に十分な強度を発揮させることができ、また、施工時に側縁部３，３が固定対象物１０に強く圧接しても、上記金属補強材４によりその圧接力に十分に対抗させることができる。
【００２０】
上記実施例では、桟の形成を、桟材１の発泡合成樹脂で金属補強板４の表裏面を被覆しながらの押出成形により行うに際し、金属補強板４に多数の孔７または切欠き８を列設し、それらの孔７または切欠き８を通して該金属補強板４の表裏面側の桟材１と接合するようにしているが、これ以外にも、金属補強板４に上記孔７や切欠き８を設けずに、該金属補強板４と桟材１の表面側及び裏面側の発泡合成樹脂との間に接着剤を塗着しながら押出成形し、該接着剤によってこれら金属補強板４と桟材４とを接合することにより行ってもよい。
この場合、金属補強板４の表裏面に桟材１が直接的に接合され、結果として金属補強板４に孔７や切欠き８を設けた場合と同様の効果を得ることができる。
【００２１】
上記金属補強板４は、屈曲部４ａ，４ａが桟材１の側縁部３，３内まで突入した位置まで延びていてるが、少なくとも側縁部３，３の基部の範囲で両側端を該側縁部３，３側に屈曲させれば、必ずしも、側縁部３，３内まで突入させる必要はない。
【００２２】
この実施例においては、切欠き５により固定対象物１０と内外装材等との間の空間内の通気性や通水性を確保しているが、この切欠き５に代えて、通気用、通水用の孔を固定用突部２及び側縁部３，３に穿設するようにしても良い。
【００２３】
図４は、本発明の第２実施例を示すもので、この実施例の建築用桟は主たる構成は上記第１実施例と同様であるが、桟材１に固定用突部２及び側縁部３，３の他に支持用突部６が設けられている。
上記支持用突部６は、固定用突部２とほぼ同形状のもので、該固定用突部２と側縁部３，３との間にそれぞれ設けられていて、図４に示すような、固定用突部２と側縁部３，３との間のスパンが大きい場合に、桟材１及び補強用金属板４の不必要な撓みを防ぐために有効である。
なお、上記支持用突部６を釘やネジ打ちに供することもできる。
【００２４】
図５は、本発明の第３実施例を示し、この実施例の建築用桟は、瓦桟としてより使用しやすい形状としたもので、基本的には上記第１実施例と同様であるが、桟材１を全体の幅に比して厚さを大きくして瓦の引っ掛かり易い形状とすると共に、桟材１における固定用突部２及び側縁部３，３の固定対象物との接触面を大きくして、桟をより安定的に固定しうる構成としている。
【００２５】
なお、金属補強板４の表裏面側と、押出成形した桟材１の表面側及び裏面側の発泡合成樹脂とを接着剤により一体化することにより行ってもよい点、上記金属補強板４は、少なくとも側縁部３，３の基部の範囲で両側端を該側縁部３，３側に屈曲させればよい点、切欠き５に代えて、通気用、通水用の孔を固定用突部２及び側縁部３，３に穿設してもよい点は上記第１実施例と同様である。
【００２６】
【発明の効果】
以上に詳述したように、本発明の発泡合成樹脂製建築用桟は、発泡合成樹脂により形成したので、木材と同様に部分的には変形し、当たりが軟らかであり、しかも、長尺の桟材を発泡合成樹脂の押出し材として成形できるので、安価に提供できる。
また、中央部の固定用突部を固定対象物に当て、内部にインサートした金属補強材を通して釘またはネジ打ちするので、桟材が固定対象物に強固に固定され、これに内外装材や瓦等を支持させても十分な強度を発揮することができる。
【図面の簡単な説明】
【図１】本発明に係る建築用桟の第１実施例を示す断面図である。
【図２】同側面図である。
【図３】本発明において用いる金属補強板を示す（Ａ）平面図、及び（Ｂ）側面図である。
【図４】本発明に係る建築用桟の第２実施例を示す断面図である。
【図５】本発明に係る建築用桟の第３実施例を示す断面図である。
【符号の説明】
１  桟材
２  固定用突部
３  側縁部
４  補強金属板
４ａ  屈曲部
５  切欠き
６  孔
７  切欠き
【図１】
0003711004.tif 000002
【図２】
0003711004.tif 000003
【図３】
0003711004.tif 000004
【図４】
0003711004.tif 000005
【図５】
0003711004.tif 000006